(57)【特許請求の範囲】
【請求項１】
第１の機能を備える要素とのインタフェース、
近距離無線通信機能を備える近距離無線通信要素とのインタフェース、
バッテリーインタフェース、及び、
前記バッテリーインタフェースと接続されるバッテリー制御回路、
を有する装置であって、
前記バッテリー制御回路は、前記バッテリーインタフェースと接続されるバッテリーのバッテリー充電状態に従い前記装置の動作を制御するために備えられ、前記バッテリー制御回路は、前記バッテリーインタフェースと接続される前記バッテリーの充電状態に従い前記装置における幾つかの動作状態を規定し、該充電状態は、
通常動作状態、
所定のソフトウェアカットオフ電圧よりもバッテリー電圧が低いソフトウェアカットオフ状態、
該ソフトウェアカットオフ電圧より低い所定のハードウェアカットオフ電圧よりもバッテリー電圧が低いハードウェアカットオフ状態、及び
該ハードウェアカットオフ電圧より低い所定のバッテリーカットオフ電圧よりもバッテリー電圧が低いバッテリーカットオフ状態、
の選択からの２以上の動作状態を有し、
前記装置は、少なくとも２つの前記動作状態における、該近距離無線通信要素との前記インタフェースを介し接続される該近距離無線通信要素の有効又は無効の設定を記録するための記録装置を有し、
該第１の機能を備える該要素は、該ソフトウェアカットオフ状態、該ハードウェアカットオフ状態、又は該バッテリーカットオフ状態のいずれにおいても利用可能でない一方、該近距離無線通信要素は、該記録装置に記録された該設定により、該ソフトウェアカットオフ状態、該ハードウェアカットオフ状態、又は該バッテリーカットオフ状態の少なくとも一つにおいて利用可能であり、
該ハードウェアカットオフ状態及び該バッテリーカットオフ状態は、該バッテリーに損害を与える、該バッテリーの重放電を防止する、装置。
【請求項２】
少なくとも１つの前記機能との前記インタフェースと接続される該少なくとも１つの機能を備える要素、
前記バッテリーインタフェースと接続されるバッテリー、及び／又は、
近距離無線通信要素との前記インタフェースと接続される近距離無線通信要素、
を更に有する、請求項１に記載の装置。
【請求項３】
前記近距離無線通信要素は、近距離無線通信起動イベントを検出すると、前記通常動作、ソフトウェアカットオフ、ハードウェアカットオフ、及び／又はバッテリーカットオフ状態において、前記近距離無線通信要素又は前記装置をどのように操作するかについての情報を記録する専用メモリを備えることを特徴とする、請求項１又は２に記載の装置。
【請求項４】
前記装置は、少なくとも２つの前記動作状態における前記バッテリー制御回路の構成を記録するための記録装置を有することを特徴とする、請求項１から３のいずれか一項に記載の装置。
【請求項５】
前記第１の機能はセルラー電話機能を有することを特徴とする、請求項１から４のいずれか一項に記載の装置。
【請求項６】
少なくとも１つの機能との少なくとも１つのインタフェースを備える装置であって、該装置は、
前記少なくとも１つの機能とのインタフェースを備える要素、
バッテリーインタフェース、及び、
前記バッテリーインタフェースと接続されるバッテリー制御回路、を有し、
前記バッテリー制御回路は、前記バッテリーインタフェースと接続されるバッテリーのバッテリー充電状態に従い前記装置の動作を制御するために備えられ、前記バッテリー制御回路は、前記バッテリーインタフェースと接続される前記バッテリーの充電状態に従い前記装置における幾つかの動作状態を規定し、該充電状態は、
通常動作状態、
所定のソフトウェアカットオフ電圧よりもバッテリー電圧が低いソフトウェアカットオフ状態、
該ソフトウェアカットオフ電圧より低い所定のハードウェアカットオフ電圧よりもバッテリー電圧が低いハードウェアカットオフ状態、及び
該ハードウェアカットオフ電圧より低い所定のバッテリーカットオフ電圧よりもバッテリー電圧が低いバッテリーカットオフ状態、の選択からの２以上の動作状態を有し、
前記装置は、少なくとも２つの前記動作状態における前記装置の有効又は無効の設定を記録するためのユーザー構成可能な記録装置を有し、
前記少なくとも１つの機能は、該記録装置に記録された該設定により、該ソフトウェアカットオフ状態、該ハードウェアカットオフ状態、又は該バッテリーカットオフ状態の少なくとも一つにおいて利用可能であり、
該ハードウェアカットオフ状態及び該バッテリーカットオフ状態は、該バッテリーに損害を与える、該バッテリーの重放電を防止する、装置。
【請求項７】
前記少なくとも１つの機能との前記インタフェースと接続される前記少なくとも１つの機能を備える要素、及び、
前記バッテリーインタフェースと接続されるバッテリー、
を更に有する、請求項６に記載の装置。
【請求項８】
前記装置はユーザーインタフェースを有し、前記バッテリー制御回路は前記インタフェースを介したユーザー入力により構成可能であることを特徴とする、請求項６又は７に記載の装置。
【請求項９】
前記少なくとも１つの機能は、セルラー電話機能、近距離無線通信機能又はデータ再生機能のグループから選択される少なくとも１つの機能を有することを特徴とする、請求項６から８のいずれか一項に記載の装置。
【請求項１０】
近距離無線通信対応の装置を操作するための方法であって、該方法は、
近距離無線通信イベントを検出するステップ、
前記装置の現動作状態を決定するステップ、
前記検出された動作状態に関連して近距離無線通信要素の有効又は無効の設定を決定するステップ、及び、
前記近距離無線通信要素の前記決定された有効又は無効の設定に従い前記装置の前記近距離無線通信要素を操作するステップ、
を有し、前記動作状態は、
通常動作状態、
所定のソフトウェアカットオフ電圧よりもバッテリー電圧が低いソフトウェアカットオフ状態、
該ソフトウェアカットオフ電圧より低い所定のハードウェアカットオフ電圧よりもバッテリー電圧が低いハードウェアカットオフ状態、及び
該ハードウェアカットオフ電圧より低い所定のバッテリーカットオフ電圧よりもバッテリー電圧が低いバッテリーカットオフ状態、
の選択からの２以上の動作状態を有し、前記近距離無線通信要素は、該ソフトウェアカットオフ状態、該ハードウェアカットオフ状態、又は該バッテリーカットオフ状態の少なくとも一つにおいて利用可能であり、
該ハードウェアカットオフ状態及び該バッテリーカットオフ状態は、該バッテリーに損害を与える、該バッテリーの重放電を防止する、方法。
【請求項１１】
装置の前記近距離無線通信要素に電力を与えるため、前記近距離無線通信イベントの受信されたＲＦエネルギーを使用することを更に有する、請求項１０に記載の方法。
【請求項１２】
前記現動作状態の前記決定は、装置の動作状態がソフトウェアカットオフ又はハードウェアカットオフ状態かを決定し、
前記方法は、前記近距離無線通信イベントを検出した後、前記装置の前記近距離無線通信要素に電力を与える
ことを更に有する、請求項１０又は１１に記載の方法。
【請求項１３】
前記通常動作、ソフトウェアカットオフ、ハードウェアカットオフ、及び／又はバッテリーカットオフ状態の少なくとも２つの状態において、前記近距離無線通信要素の有効又は無効の設定を定義するユーザー入力を受信するステップ、及び
前記装置の記録装置内に前記近距離無線通信要素の前記有効又は無効の設定を記録するステップ、
を更に有する、請求項１０から１２のいずれか一項に記載の方法。
【請求項１４】
装置を操作するための方法を実行するためのプログラムを記録する機械読み取り可能記録媒体であって、該プログラムが装置上で実行されるとき、請求項１０から１３のいずれか一項に記載の方法の各ステップを実行するためのプログラムコード部分を有する、機械読み取り可能記録媒体。
【請求項１５】
装置を操作するための方法を実行するためのプログラムを記録する機械読み取り可能記録媒体であって、該プログラムがモバイル電子多機能装置上で実行されるとき、請求項１０から１３のいずれか一項に記載の方法の各ステップを実行するための、機械読み取り可能記録媒体上に記録されるプログラムコード部分を有する、機械読み取り可能記録媒体。
【発明の詳細な説明】
【技術分野】
【０００１】
本発明は、モバイル電子多機能装置の分野及びその動作に対する方法に関連する。特に、本発明はワイヤレスデータ通信を実行する能力を有するモバイル電子多機能装置に関連する。本発明は、特に、近距離無線通信対応モバイル電子装置の分野及びそれら動作に対する方法に関連する。詳細には、本発明は、端末に電力が与えられていない又は部分的にのみ与えられている状況において、近距離無線通信を管理及び制御するための方法に関連する。
【背景技術】
【０００２】
一般的に、本発明は、電磁気／静電気結合技術及び光短距離通信技術を含む近距離無線通信技術、即ち、特に近距離無線通信技術（ＮＦＣ： near field communication technologies）など、短距離通信技術の分野を扱うバッテリー電力による携帯又はモバイル装置に関係する。ＲＦＩＤ通信の１つの可能な実施例において、電磁気及び／又は静電気結合は、例えば、ＲＦＩＤ（radio frequency identification）技術を用いて、電磁気スペクトルの無線周波数（ＲＦ）部において実装され、ＲＦＩＤ技術は、主に、無線周波数識別（ＲＦＩＤ）トランスポンダー（transponder）、簡単のためＲＦＩＤタグとする、及び無線周波数識別トランスポンダー読み取り器、簡単のためＲＦＩＤリーダーとする、を有する。
【０００３】
本発明の装置の多機能性は、ＮＦＣ／ＲＦＩＤ機能と結合されたモバイル装置の複数の機能の組合せに起因する。即ち、一般的な技術背景は、モバイル電子装置、及び近距離無線通信技術に属する。
【０００４】
プラスティックの非接触カード（ＲＦＩＤカード）、ＮＦＣリーダーのない携帯電話、ＮＦＣリーダー搭載の携帯電話、並びにＮＦＣリーダー及び電話バッテリーを電源とするハードウェア実装カードエミュレーション（emulation）を搭載した携帯電話は既に知られている。
【０００５】
例えば、ＲＦＩＤタグエミュレーション機能を備え、端末に一体化されたＲＦＩＤ通信ロジックを持つ端末又はモバイルバッテリーを電源とする装置が既に知られている。例えば、文献 WO 2005045744 は、ＲＦ信号を受信、復調、及び送信するための送信手段を有するＲＦＩＤ装置を開示している。その文献内で開示されているＲＦＩＤ装置は、タグエミュレーションモードにおいてＲＦリーダー装置に応答するための手段、及びリーダーモードにおいてＲＦリーダー装置として機能するための手段を有する。
【０００６】
文献 WO 2006010943 において、複数タグエミュレーターが開示されている。その文献内では、単一装置内において複数のＲＦデータ格納装置をエミュレートすることを可能とする装置が開示されている。
【０００７】
その他文献 US 6776339 は、スマートカードリーダーに対する非接触インタフェースを有するワイヤレス通信装置に関連する。
【０００８】
本発明の技術分野に関するその他の文献は、WO 2005008575 の国際特許出願である。この文献では、トランスポンダーモードにおいて動作することができる装置が開示され、このトランスポンダーモードは電力を必要としない。
【０００９】
特に、ＮＦＣ／ＲＦＩＤ（エミュレーション）対応の音楽プレーヤー、携帯電話、ＰＤＡ、パームトップ、通信、ＴＶ装置及び携帯バッテリー作動装置のようなもの、などの多機能装置の場合、ユーザーが装置を操作中、装置のバッテリーが放電され、装置の操作及びその結果としてのＮＦＣ／ＲＦＩＤ（エミュレーション）機能性の操作がそれ以上提供されない、又は少なくともＮＦＣ／ＲＦＩＤ（エミュレーション）機能の制御が喪失することが起こる可能性がある。
【００１０】
それにより、例えば地下鉄の切符を提供するためのＮＦＣ／ＲＦＩＤ（エミュレーション）機能を備えるユーザーは、検査機械にその切符を提出するための機能を失い、又はバッテリーが無くなり、その結果としてＮＦＣ／ＲＦＩＤ（エミュレーション）機能を無くした人となることが起こりうる。即ち、ＮＦＣ／ＲＦＩＤ（エミュレーション）機能をエミュレートするために使用される装置のバッテリーが少なくなる又は放電されてしまったとき、少ない／空のバッテリーの装置のユーザーは、例えば、公共交通の装置に入る又は使用するための許可を失う可能性がある。即ち、ユーザーは、装置の主要な機能を楽しむことができるのみならず、装置のＮＦＣ／ＲＦＩＤ（エミュレーション）機能により供給される機能をもはや楽しむ／使用することができない。これは、モバイルバッテリー駆動の装置内に非接触支払い及び／又はトラベルカードを一体化させることをユーザーに容認させるために解決する必要がある重要な問題である。装置は、必要となる電力（例えば、装置上に付随するＲＦＩＤタグによる）なしにカードエミュレーション／トランスポンダーモードを動作する能力がある。しかし、ユーザーは、カードエミュレーション／トランスポンダーモードにおいて、どの情報が示されるかの制御を有しない。
【００１１】
上記の問題は、ユーザーが例えば携帯電話のＮＦＣ／ＲＦＩＤ（エミュレーション）機能にアクセスする間に、例えば、バッテリーが多機能装置から取り除かれたときにも生じる。バッテリーの低／無充電状態の場合でさえ、ユーザーがＮＦＣ／ＲＦＩＤ機能を使用できる多機能装置を持つことが望ましい。（しかし、当該の要素又は完全なパッシブＲＦＩＤ技術に基づくＮＦＣ／ＲＦＩＤ機能の結合に対して専用バッテリー又は専用の充電源を備える従来型のアプローチは、満足できる結果を提供しないと考えられる。）
【００１２】
装置にバッテリーが接続されない状況においてさえ、モバイル電子多機能装置のＮＦＣ／ＲＦＩＤ機能を使用するための可能性を有することも望ましい。
【発明の概要】
【課題を解決するための手段】
【００１３】
本発明の第１の観点に従い、モバイル電子多機能装置が提供される。モバイル電子多機能装置は、少なくともバッテリー駆動の第１の機能（を備える要素）とのインタフェース及び近距離無線通信（ＮＦＣ）機能とのインタフェースを備える。モバイル電子多機能装置は、バッテリーへのインタフェース、バッテリー制御回路、少なくとも１つの第１の機能（を備える要素）とのインタフェースを備える要素、ＮＦＣ−通信要素とのインタフェース、及び記録装置を有する。
【００１４】
モバイル電子多機能装置はモバイルであり、バッテリー駆動されることを目的とし、及び、それ故にバッテリーをモバイル電子多機能装置に接続するためのインタフェースを備える。モバイル電子多機能装置は、バッテリーインタフェースに（及び、あるいは装置の残り部分に）接続されるバッテリー制御回路を備える。バッテリー制御回路は、モバイル電子多機能装置に接続されるバッテリーのバッテリー充電状態に従いモバイル電子多機能装置の動作を制御するため、及びバッテリーインタフェースに接続されるバッテリーにおいて利用可能な残余エネルギーの使用もまた制御するために設けられる。
【００１５】
（少なくとも１つの）第１の機能（を備える要素）とのインタフェースを与えるための要素は、例えば、携帯ＴＶセット、ＤＶＤ、ＨＤ−ＤＶＤ、ブルーレイ（Blue-Ray）、ＭＰＸ−プレーヤー、ラジオ、音楽（例えばＭＰ３）プレーヤー、携帯ゲーム機、ＰＤＡなど多用途装置機能、パームトップ、コミュニケーター、（ＧＰＳ−又はガリレオ−）ナビゲータ、監視装置、又は、例えばモバイル若しくはセルラー電話機能、といった第１の実現性を伴う装置を装置が実装できるように設けられる。第１の機能を備える要素は、ユーザーが第１の機能を使用するためにモバイル電子多機能装置と積極的に相互作用できるようにするためのユーザーインタフェースを有することができる。
【００１６】
ＮＦＣ−通信要素とのインタフェースは、多機能装置にＮＦＣ−通信機能を供給するために使用される。ＮＦＣ−通信機能を備える装置とのインタフェース及び少なくとも１つの第１の機能（を備える要素）とのインタフェースにより、電子装置は（潜在的に）多機能装置となる。ＮＦＣ−通信要素は、モバイル電子多機能装置のバッテリーインタフェースにも接続されることに注意する。また、要素のユーザーインタフェースを介し（少なくとも１つの）第１の機能を提供するため、例えば、ＮＦＣ−通信要素とのインタフェースを介したＮＦＣ−通信要素へのアクセスを承認するために、（少なくとも１つの）第１の機能を使用するための提供を行うために、ＮＦＣ−通信要素をユーザーインタフェース要素に接続することを目的としていることにも注意する。
【００１７】
バッテリー制御回路は、以下の選択から、バッテリーインタフェースに接続されるバッテリーの充電状態に応じて、モバイル電子多機能装置における２またはそれ以上の動作状態を規定する。
・ 充電されたバッテリーに対する、通常動作状態
・ バッテリーのより低い充電状態に対する、ソフトウェアカットオフ状態
・ 放電されたバッテリーに対する、ハードウェアカットオフ状態、及び
・ 充電されていない、充電不十分な、又は、例えば取り除かれたバッテリーに対する、バッテリーカットオフ状態
これは、バッテリーインタフェースに接続されるバッテリーの重放電（deep discharge）を防止するためであり、重放電はバッテリーインタフェースと接続されるバッテリーに損害を与える、又は少なくともバッテリーインタフェースと接続されるバッテリーの容量を減少させる可能性がある。
【００１８】
ソフトウェアカットオフ状態、ハードウェアカットオフ状態、及びバッテリーカットオフ状態は、（接続されたバッテリーの）主な分類のバッテリー無電力状態下に集約され、一方、通常の動作状態はバッテリー十分状態として示される。ここで、ソフトウェアカットオフ状態及びハードウェアカットオフ状態は同一の動作状態として実行できることに注意すべきである。バッテリーカットオフ状態においては、バッテリー制御回路でさえもバッテリーから切断される（又はバッテリーが外される）ことにも注意する。ハードウェアカットオフ状態はソフトウェアカットオフ状態も含み、並びにバッテリーカットオフはハードウェア及びソフトウェアカットオフ状態の両方を含むことに注意する。
【００１９】
本発明の実施例による装置は、更に、接続されたＮＦＣ−要素の動作状態（の少なくとも２つの異なるもの）において、ＮＦＣ−要素とのインタフェースを介して接続されるＮＦＣ−通信要素の構成を格納するための記録装置を有する。
【００２０】
即ち、本発明による装置は、通常動作状態下での（ＮＦＣ−要素とのインタフェースを介して接続される）ＮＦＣ−通信要素の動作に加え、上記のソフトウェアカットオフ、ハードウェアカットオフ、又はバッテリーカットオフ状態の少なくとも１つにおいて、（ＮＦＣ−要素とのインタフェースを介して接続される）ＮＦＣ−通信要素の動作を許容する。
【００２１】
（少なくとも２つの動作状態において、ＮＦＣ−要素とのインタフェースを介して接続されるＮＦＣ−通信要素の構成を格納するための）記録装置により、モバイル多機能装置は、（バッテリーインタフェースと接続又は切断されたバッテリーの）「通常状態」及び「バッテリー無電力状態」の１つに対し、ＮＦＣ−通信要素の（恐らく）異なる構成を許容するよう構成することができる。モバイル電子多機能装置は、（バッテリー切断状態を含む）バッテリー無電力状態の少なくとも１つにおいて、（ＮＦＣ−要素とのインタフェースを介して接続される）ＮＦＣ−通信要素の（当然に制限された）「緊急」使用を可能にする。
【００２２】
例えば、ＮＦＣ−通信イベントが、（接続されたバッテリーの）バッテリー無電力状態の１つにおいて（ＮＦＣ−要素とのインタフェースを介して接続される）ＮＦＣ−通信要素により検出されるとき、記録装置は、例えば１又は２つの選択されたＮＦＣ−通信機能が（接続されたバッテリーの）バッテリー無電力状態の１つにおいて実行されることが可能なよう事前にプログラムすることができ、及び通常動作状態においては全てのＮＦＣ機能が許可される。
【００２３】
基本的な実装において、記録装置は、一方で（接続されたバッテリーの）より高いバッテリー電圧において第１の機能を遮断するため、及び他方で（接続されたバッテリーの）より低いバッテリー電圧において（ＮＦＣ−要素とのインタフェースを介して接続されるＮＦＣ要素の）ＮＦＣ−通信機能を遮断するため、ソフトウェア／ハードウェアカットオフに対する異なるバッテリー電圧しきい値を使用するようプログラムすることができる。本文脈においては、動作状態は区別されていることに注意する。
【００２４】
本発明のこの基本的な実施例において、本発明はモバイル多機能装置におけるチップセットとして搭載することもできる。
【００２５】
本発明の１つの実施例において、モバイル電子多機能装置は、少なくとも１つの機能とのインタフェースに接続される少なくとも１つの機能を備える要素を更に有する。本発明の別の実施例では、モバイル電子多機能装置は、バッテリーインタフェースに接続されるバッテリーを更に有する。本発明の更なる別の実施例では、モバイル電子多機能装置は、ＮＦＣ−通信要素とのインタフェースに接続されるＮＦＣ−通信要素を更に有する。
【００２６】
この実施例において、装置はバッテリー駆動の（少なくとも１つの）第１の機能が既に備わっている。この実施例において、インタフェースは第１の機能に対する、例えばアプリケーションプロトコルインタフェースの結合として搭載できる。インタフェースは必ずしも切断可能である必要はないことに注意する。即ち、インタフェースは、配線接続、（ソフトウェア実装における）論理リンク、又はプリント基板上のプリント回路（又は集積回路チップ内での各々の実装）としても搭載できる。
【００２７】
（第１の機能とのインタフェースを介して）（少なくとも１つの）第１の機能の要素は、例えば、携帯ＴＶセット、ＤＶＤ、ＨＤ−ＤＶＤ、ブルーレイ、ＭＰＸプレーヤー、ラジオ、音楽（例えばＭＰ３）プレーヤー、携帯ゲーム機、ＰＤＡなど多用途装置機能、パームトップ、コミュニケーター、（ＧＰＳ−又はガリレオ−）ナビゲータ、監視装置、又は、例えばモバイル若しくはセルラー電話機能、など第１の実現性を伴う装置を装置が実装できるように設けられる。第１の機能を備える要素は、ユーザーが第１の機能を使用するためにモバイル電子多機能装置と積極的に相互作用できるようにするためのユーザーインタフェースを有することができる。
【００２８】
モバイル電子多機能装置は、バッテリーインタフェースに接続されるバッテリーもまた有する。バッテリーは、従来のセルラー電話で知られているように取り替え可能なバッテリー（モジュール）として搭載できる。バッテリーは、従来の小型電子装置で知られているように取り替え可能なプライマー（primer）バッテリーとして搭載できる。バッテリーは、幾つかの携帯ＭＰ３プレーヤー装置で知られているように内蔵バッテリーとして搭載できる。第１の機能とのインタフェースの場合のように、バッテリーとのインタフェースは必ずしも切断可能である必要はないことに注意すべきである。即ち、インタフェースは、配線接続又はプリント基板上のプリント回路として搭載できる。
【００２９】
バッテリー制御回路は、モバイル電子多機能装置に接続されたバッテリーのバッテリー充電状態に応じてモバイル電子多機能装置の動作を制御し、及びバッテリーインタフェースに接続されたバッテリーにおいて利用可能な残余エネルギーの使用も制御するよう設けられる。
【００３０】
本発明のその他の実施例において、モバイル電子多機能装置は、ＮＦＣ−通信要素とのインタフェースに接続されるＮＦＣ−通信要素を更に有する。インタフェースは必ずしも切断可能である必要はないことを再び注意する。即ち、インタフェースは、配線接続、（ソフトウェア実装における）論理リンク、又はプリント基板上のプリント回路（又は集積回路チップ内での各々の実装）として搭載できる。
【００３１】
本発明の別の実施例において、ＮＦＣ−通信要素は、ＮＦＣ−起動イベントを検出すると、通常状態、ソフトウェアカットオフ、ハードウェアカットオフ、及び／又はバッテリーカットオフ状態の少なくとも２つの状態において、ＮＦＣ−要素又はモバイル電子多機能装置をどのように動作させるかの情報を格納する専用メモリを備える。
【００３２】
この実施例は、第１の機能のソフトウェア／ハードウェアカットオフ状態において、ＮＦＣ−通信要素がこの専用記録装置に確実にアクセスできるようにするための専用の要素として記録装置が使用される装置に関係する。専用メモリは低電圧で動作可能となるよう調整することができるという追加の利点を有し、そのためＮＦＣ−通信要素及び少なくとも１つの第１の機能を備える要素により使用される単一メモリ装置などの動作に関して、ＮＦＣ−通信要素の電力消費を延長することができる。この実装は、少なくともＮＦＣ−通信要素内で低電圧動作可能要素（メモリ）の使用を示唆する。低電圧動作可能要素の使用は、特に少バッテリーのＲＦ駆動のＮＦＣ−トランスポンダーの分野で既に知られている。
【００３３】
更に別の実施例において、専用メモリは一部充電された状態で動作可能である。全てのメモリが、例えば、（近傍のＮＦＣ−リーダー装置から）受信された無線周波数フィールドにより電力を受けなければならない訳ではないので、この実施例は、特にＮＦＣ−通信要素の低電力動作を可能とするよう方向付けられる。
【００３４】
更に別の実施例において、モバイル電子多機能装置はユーザーインタフェースを備え、メモリはインタフェースを介したユーザー入力により構成可能である。ユーザーインタフェースは、主にモバイル多機能装置の第１の機能に対して備えられていることに注意する。第１の機能及びＮＦＣ−通信要素又は機能に対し、異なるユーザーインタフェース要素を実装することも想定される。
【００３５】
更に別の実施例では、モバイル電子多機能装置は、少なくとも２つの動作状態におけるバッテリー制御回路の構成を格納するための記録装置を備える。本発明のこの実施例において、バッテリー制御回路の動作は記録装置に依存し、バッテリー制御回路は現動作状態に基づき、ＮＦＣ−要素又はモジュールへのバッテリーのエネルギーを使用／制御／指示する。バッテリー制御は記録装置に依存し、配線された制御ロジックには依存しないという事実のため、装置は異なる電力状態から非電力状態までの遷移パスを設けることができる。
【００３６】
更なる別の実施例において、モバイル電子多機能装置はユーザーインタフェースを備え、バッテリー制御回路はインタフェースを介したユーザー入力により構成可能である。即ち、この実施例において、ユーザーは、どれが可視となるかの選択に加え、装置／バッテリー制御回路（ＮＦＣフロントエンド可視／不可視）の実際の動作もまた決める能力がある。本発明のこの実施例において、ユーザーは異なるソフトウェア及び（部分的）ハードウェアカットオフ手順及び状態を選択することもできる。この実施例に伴い、バッテリー電力が弱まったとき、装置がどのように振舞うかをユーザーは選択することができる。この実施例に伴い、ユーザーは、装置のＮＦＣ−要素のＮＦＣトランスポンダー機能をサポートするために、バッテリー制御回路がＮＦＣ−要素、又は、例えばメモリのみに電力を供給する条件を選択することもできる。ユーザーインタフェースは、端末にまだ電力が供給されているとき、即ち、あらかじめ、電力オフモードにおける端末の振る舞いをユーザーが選択するための手段を供給する。
【００３７】
本発明のその他の実施例において、第１の機能はセルラー電話機能を更に有する。即ち、モバイル多機能装置はＮＦＣ−対応携帯電話として実装される。本発明に伴い、バッテリーのバッテリー電力が携帯電話のＧＳＭ無線ステージなどを作動させるには不十分であるとしても、ＮＦＣ−通信対応携帯電話のＮＦＣ要素などを使用することが可能となる。特に、携帯（又はセルラー）電話が地下交通設備などにおけるアクセスチケットとして使用される場合、携帯電話のバッテリーが地下内の（存在しない）基地局への接続を試行することにより放電されてしまう場合でさえ、交通設備にアクセスできることが必要となる。
【００３８】
本発明のその他の実施例において、第１の機能は、ＭＰ２及びＭＰ３デコーダー／プレーヤー、携帯ＴＶなどのデータ再生機能を有する。携帯電話などの通信装置を備えたＭＰ３プレーヤーと多機能装置へのＮＦＣ−機能を備えた装置を組み合わせることも構想されている。
【００３９】
本発明の更なる別の実施例によれば、バッテリーはモバイル電子多機能装置取り外し可能となる。
【００４０】
本発明のその他の観点によれば、少なくとも１つの機能（を備える要素）との少なくとも１つのインタフェースを備えるモバイル電子装置を備える。装置は、少なくとも１つの機能（を備える要素）とのインタフェースを備える要素、バッテリーインタフェース、及びバッテリー制御回路を有する。バッテリー制御回路は、バッテリーインタフェースに接続する。バッテリー制御回路は、バッテリーインタフェースに接続されるバッテリーのバッテリー充電状態に従い、モバイル電子多機能装置の動作を制御するよう設けられる。バッテリー制御回路は、バッテリーインタフェースに接続されるバッテリーの充電状態に従い、モバイル電子多機能装置における幾つかの動作状態を規定し、充電状態は、通常動作状態、ソフトウェアカットオフ状態、ハードウェアカットオフ状態、及びバッテリーカットオフ状態の少なくとも選択からの２つ又はそれ以上の動作状態を有する。装置は、少なくとも２つの動作条件に対するモバイル電子装置の構成を格納するためのユーザー構成可能な記録装置を有する。
【００４１】
基本的に、少なくとも１つの機能（を備える要素）に対するインタフェースは任意に選択できる。インタフェースは、例えば、携帯ＴＶセット、ＤＶＤ、ＨＤ−ＤＶＤ、ブルーレイ、ＭＰＸプレーヤー、ラジオ、音楽（例えばＭＰ３）プレーヤー、携帯ゲーム機、ＰＤＡなど多用途装置機能、パームトップ、コミュニケーター、（ＧＰＳ−又はガリレオ−）ナビゲータ、監視装置若しくは防衛装置、フラッシュライト、デジタルカメラ、又は、例えばモバイル若しくはセルラー電話機能との接続を提供できる。少なくとも２つの動作状態に対するモバイル電子装置の異なる構成は、例えば、特定プログラムの実行に対する制限又はモバイル電子装置の異なる要素への電力供給を有することができる。基本的に、この実施例は、「音楽再生、ビデオ遮断条件」、「電子ペーパーディスプレイ動作、タッチスクリーン不可」など、更なる動作条件を、制限なしで定義する能力を伴う装置と理解できる。現在又は新規に定義できる動作条件の各々に対して異なる電圧（又は充電条件）を定義することも想定される。
【００４２】
本発明の実施例において、請求項に記載されるモバイル電子装置は、少なくとも１つの機能とのインタフェースに接続される少なくとも１つの機能を備える要素を更に有する。少なくとも１つの機能は、例えば、携帯ＴＶセット、ＤＶＤ、ＨＤ−ＤＶＤ、ブルーレイ、ＭＰＸプレーヤー、ラジオ、音楽（例えばＭＰ３）プレーヤー、携帯ゲーム機、ＰＤＡなど多用途装置機能、パームトップ、コミュニケーター、（ＧＰＳ−又はガリレオ−）ナビゲータ、監視装置若しくは防衛装置、デジタルカメラ若しくは例えばフラッシュライト、又は、例えばモバイル若しくはセルラー電話機能に実装できる。上で記述したように、機能は、取り外し可能インタフェース又は配線接続インタフェースを介して接続できる。
【００４３】
本発明のその他の実施例において、請求項に記載のモバイル電子装置はバッテリーインタフェースと接続されるバッテリーを更に有する。
【００４４】
本発明の実施例において、モバイル電子装置はユーザーインタフェースを有し、バッテリー制御回路は、インタフェースを介してユーザー入力により構成可能である。即ち、バッテリー制御回路の技術実施例の全ての既知状態と異なり、ユーザーは、モバイル電子装置の各動作状態（又はバッテリー充電状態）に対する個別の設定を自由に選択できる。この記録装置は、バッテリーカットオフ状態下においてさえ（又は、バッテリーが取り除かれてしまったときにさえ）、設定を保持するための不揮発性記録装置として搭載できる。
【００４５】
本発明の別の実施例において、少なくとも１つの機能は、セルラー電話機能、ＮＦＣ機能、又はデータ再生機能のグループから選択された少なくとも１つの機能を有する。（静止画及び／若しくはビデオ用）カメラ、又は（ＵＳＢ記録スティックなど）データ記録機能、又は（ＧＳＭ、ＵＭＴＳ、ｉモードなどの現在若しくは将来の標準の１つにおける）携帯電話、又は（例えば、ガリレオ若しくはGPS受信機を含む）ナビゲーションシステムを装置内に実装することも想定される。
【００４６】
本発明のその他の観点によれば、上で記述したようにモバイル電子装置に対するインタフェースが提供される。インタフェースは、モバイル電子装置のユーザーが、通常動作、ソフトウェアカットオフ、ハードウェアカットオフ、及び／又はバッテリーカットオフ状態の内、少なくとも２つの状態において、モバイル電子装置を作動する方法を選択するために、モバイル電子多機能装置を構成できるようにする。
【００４７】
本発明の実施例において、モバイル電子装置は、上記されたように、開示されたようなＮＦＣ−通信要素を持つモバイル電子多機能装置である。この実施例において、インタフェースは、モバイル電子多機能装置のユーザーが、通常動作、ソフトウェアカットオフ、ハードウェアカットオフ、及び／又はバッテリーカットオフ状態の少なくとも２つの状態において、ＮＦＣ−通信要素を作動する方法を選択するために、モバイル電子多機能装置を構成できるようにする。
【００４８】
本発明の実施例において、インタフェースは、モバイル電子多機能装置のユーザーが、通常動作状態、ソフトウェアカットオフ状態、ハードウェアカットオフ状態、及び／又はバッテリーカットオフ状態の少なくとも２つの動作状態において、ＮＦＣ−通信要素の異なる構成を選択できるようにする。
【００４９】
即ち、ユーザーインタフェースは、ＮＦＣ−通信イベントを検出するための異なる方法において、異なるバッテリー／カットオフ状態で反応するための装置を構成するよう、モバイル電子多機能装置上に設けられる。本発明の装置は、モバイル多機能装置の前記のソフトウェアカットオフ、ハードウェアカットオフ又はバッテリーカットオフ状態の１つにおいてさえ、ＮＦＣ−通信要素を作動できなければならず、さもなければＮＦＣ−通信要素における各々の構成（それに加えオフ）を定義することに実用的でないことに注意する。
【００５０】
本発明のその他の実施例において、インタフェースは、ユーザーが電力オフ状態における端末の動作を定義できるようにする。即ち、装置がスイッチオフ動作状態など電力オフ状態の１つに入ったとき、インタフェースはユーザーが端末の動作に対するパラメータを定義することを可能とし、これは、例えば、通常動作状態、ソフトウェアカットオフ状態、ハードウェアカットオフ状態、及び／又はバッテリーカットオフ状態（バッテリーの取り外しなども含む）において生じる。このインタフェースは、低充電又は低バッテリー又は装置オフ動作状態の１つに入る前に、事前の電力動作状態におけるユーザーによってのみアクセスされることは明白である。
【００５１】
本発明の別の観点によれば、上の記述で開示されたようにモバイル電子多機能装置を操作するための方法が提供される。本方法は、ＮＦＣ−通信イベントを検出するステップ、モバイル電子多機能装置の現在動作状態を決定するステップ、検出された動作状態に関連するＮＦＣ−通信要素の構成を決定するステップ、及びＮＦＣ−通信要素の決定された構成に従いモバイル電子多機能装置のＮＦＣ−要素を操作するステップを有する。
【００５２】
本方法は、ＮＦＣ−通信イベントを検出するステップ、現動作状態を通常動作状態、ソフトウェアカットオフ状態、ハードウェアカットオフ状態、又はバッテリーカットオフ状態として決定するステップを有する。ＮＦＣ−通信要素の構成を決定するステップは、検出された動作状態（即ち、通常動作状態、ソフトウェアカットオフ状態、ハードウェアカットオフ状態、又はバッテリーカットオフ状態の少なくとも２つにおいて）及びＮＦＣ−通信要素の決定された構成に従いモバイル電子多機能装置のＮＦＣ−要素を操作するステップに関連する。
【００５３】
即ち、本発明の実施例によれば、モバイル多機能装置は、装置の現在動作状態（に関連したデータ）に従い、ＮＦＣ−通信イベントを受信／検出し、この検出された通信イベントに対処／応答する。
【００５４】
ＮＦＣ−通信要素の決定された構成に従いモバイル電子多機能装置のＮＦＣ−要素を操作するステップは、ハードウェアカットオフ状態においてさえ、バッテリー制御回路によりＮＦＣ−要素に電力を与えることを更に有することに注意すべきである。装置がバッテリーカットオフ下にある場合、ＮＦＣ−要素を操作するために利用可能な唯一のエネルギーは外部の（ＲＦ−）要因（source）から来ることになる。
【００５５】
現在動作状態の決定は、ＮＦＣ−通信イベントの検出の前に実行することができることにも注意すべきである。即ち、ＮＦＣ−要素は、電力低下状態にあることに気付くことができ、それゆえに、ＮＦＣ−通信イベントを検出するとき、ＮＦＣ−要素／モバイル電子多機能装置が現在、ソフトウェアカットオフ又はハードウェアカットオフ状態にあるかを知っており、そしてそれゆえに、どのように受信に応答するか、又はどのように多機能装置のＮＦＣ−通信要素を構成するかを事前に決定することもできる。
【００５６】
本発明の実施例において、モバイル多機能装置の動作状態は、通常動作状態、並びにソフトウェアカットオフ状態、ハードウェアカットオフ状態、及びバッテリーカットオフ状態から選択された少なくとも１つの動作状態を有する。この実施例で、異なる動作状態が、異なるバッテリー充電状態に対し定義される。動作における厳しい制限が予測されるべきでも、バッテリーカットオフ状態は動作状態として考慮されることに注意すべきである。
【００５７】
本発明の１つの実施例によれば、装置は、通常動作状態及びソフトウェアカットオフ状態など２つの異なる動作常態のみ持つことができ、その動作状態において、ＮＦＣ−通信要素に対する構成が定義される。より高度な実施例において、ユーザーは、前記の動作状態の各々に対し異なるＮＦＣ−通信構成を選択するためのオプションを有することができる（装置が現在どの異なるバッテリー低状態にあるかをユーザーが直感的に決定することができないという欠点を、この実装が持っていたとしても）。
【００５８】
その他の実施例において、本方法は、モバイル電子多機能装置のＮＦＣ−通信要素に電力を与えるため、ＮＦＣ−通信イベントからの受信ＲＦエネルギーを使用することを更に有する。この実装は、ハードウェア−及びバッテリーカットオフ状態の場合にＮＦＣ−トランスポンダーとして動作する能力のあるＮＦＣ要素に対し、特に有効である。
【００５９】
この実施例の簡単な実装において、ＲＦ電力によるＮＦＣ−通信要素は、例えば、バッテリーからの短期間の電力供給を要求するため、バッテリー制御回路に信号を送ることができる。残余のバッテリーからの電力により、ＮＦＣ−要素はＮＦＣ−通信要求を処理／応答できる。
【００６０】
本発明の方法の一実施例は、メモリ装置を（少なくとも部分的に）読み出す（又は電力を与える）ために、ＮＦＣ−通信イベントの受信ＲＦエネルギーの一部を使用することを更に有し、装置の検出された動作状態に関連するＮＦＣ−通信要素の構成に関連する情報が、通常動作状態、ソフトウェアカットオフ状態、ハードウェアカットオフ状態、又はバッテリーカットオフ状態の少なくとも２つおいて格納される。
【００６１】
現在選択されたＮＦＣ−通信要素構成メモリを備えるメモリを読み出すための制限されたバッテリーアクセスを要求するため、受信された電力を使用することのみにこの実装を使用することも想定される。
【００６２】
本発明のその他の実施例において、現動作状態の決定は、モバイル電子多機能装置の動作状態がソフトウェアカットオフ又はハードウェアカットオフ状態かを決定する。この実施例において、本方式は、ＮＦＣ通信イベントを検出後、モバイル電子多機能装置のＮＦＣ−要素に電力を与えることを更に有する。
【００６３】
これは、例えば、既定の時間期間において、ＮＦＣ−要素に電力を与えることを、モバイル電子多機能装置のバッテリー管理回路／電力管理回路に、例えば通知することにより実装される。
【００６４】
本発明のその他の実施例において、本方法は、通常動作状態、ソフトウェアカットオフ状態、ハードウェアカットオフ状態、及びバッテリーカットオフ状態におけるＮＦＣ−通信要素の構成を定義するユーザー入力を受信するステップ、及びモバイル電子多機能装置の記録装置内にＮＦＣ−通信要素の構成を格納するステップを更に有する。
【００６５】
本発明のその他の実施例において、本方式は、バッテリー制御回路によりモバイル電子多機能装置のバッテリーの電圧を検出するステップ、モバイル電子多機能装置の現動作状態を決定するステップ、検出された動作状態に関連しモバイル電子多機能装置の構成を決定するステップ、及びモバイル電子多機能装置の決定された構成に従いモバイル電子多機能装置を操作するステップを更に有する。
【００６６】
この実施例は、モバイル多機能装置のユーザー又は製造業者が、何を可視とするかの選択に加え、（可視又は可視でないとしたＮＦＣフロントエンドの構成に加えて）装置／バッテリー制御回路の実際の動作を定義することを可能とする。バッテリー制御回路がアクセス可能な記録装置／メモリにより、製造業者は動作状態のそれぞれに対し、モバイル多機能装置の異なる構成を選択するための可能性を有する。即ち、本発明のこの実施例において、製造業者／ユーザーは、「ソフトウェアカットオフ状態１」などの様な更なる動作状態を定義することにより動作状態を選択及び／又は定義でき、例えば、携帯電話が「オフラインモード」に入る、又は待機中のショートメッセージを要求するために基地局に散発的にのみ接続する、などである。新たな（部分的な）ハードウェアカットオフ状態を実装することも想定され、モバイル多機能装置の動作時間を長持ちさせるため、例えば、ディスプレイのバックライトのみがサーバーバッテリー電力へのハードウェアカットオフとなる。
【００６７】
この実施例において、少なくとも製造業者はバッテリー制御回路の動作を選択及び定義するための自由を有し、このためバッテリー制御回路は、現動作状態に基づき、（例えば、ＮＦＣモジュールへの）（ソフトウェア／ハードウェア）要素にバッテリーのエネルギーを利用／制御／指示する。
【００６８】
本発明のその他の実施例において、本方法は、通常動作、ソフトウェアカットオフ、ハードウェアカットオフ、及び／又はバッテリーカットオフ状態の少なくとも１つにおけるモバイル電子多機能装置の構成を定義するユーザー入力を受信するステップ、及びモバイル電子多機能装置の記録装置内にＮＦＣ−通信要素の構成を格納するステップを更に有する。
【００６９】
本発明のこの実施例において、ユーザーは何を可視とするかの選択に加え、（例えば、可視／不可視のＮＦＣフロントエンドの）装置／バッテリー制御回路の実際の動作も定義することができる。即ち、ユーザーは、現バッテリー電圧／充電状態に従い、バッテリー制御回路がモバイル多機能装置の要素にバッテリのエネルギーを利用／制御／指示するよう、バッテリー制御回路を構成するための可能性を有する。ユーザーは、モバイル電子多機能装置の全機能を可能とするため、「ハードカットオフ」を選択するための自由を有する、または最大時間の間、機能を保持すべきアプリケーションの１つ（又は幾つか）を選択するための自由を有する。ユーザーは、延長された時間の間、装置がＮＦＣ−要素を操作可能とすべきか、又は少なくとも５０％より多く充電されたバッテリーに対してのみＴＶ操作などを可能とすることを希望するかどうかを選択できる。この観点は、モバイル電子多機能装置のほとんどのアプリケーション又は動作パラメータに適用可能である。
【００７０】
本発明の別の実施例によれば、上で詳述したように、モバイル電子装置を操作するための方法が提供される。本方法は、通常動作、ソフトウェアカットオフ、ハードウェアカットオフ、及び／又はバッテリーカットオフ状態の少なくとも２つにおけるモバイル電子装置の構成を定義するユーザー入力を受信するステップ、及びモバイル電子多機能装置の記録装置内にモバイル電子装置の構成を格納するステップを有する。本発明のこの第１のステップは、（少なくとも１つの）既知の構成に対する（又は、加えて）ユーザーの異なる動作状態又は構成により定義することに属する。即ち、ユーザーは異なる電圧しきい値を自由に定義することができ、その電圧しきい値において、装置は構成の１つから別の１つに変わることができる。ユーザーは、フラッシュライトモードなどの更なる構成を自由に定義することができ、（例えば、ソフトウェアとハードウェアカットオフの間で）ディスプレイイルミネーションのみ操作可能となる。しかし、本発明の本方法のこの実施例は、本発明の紹介部分としてのみみなすことができる。
【００７１】
本発明のその他の実施例において、本方法は、バッテリーの充電状態を検出するステップ、バッテリーの検出された充電状態に関連したモバイル電子多機能装置の動作状態を決定するステップ、及びモバイル電子多機能装置の決定された動作状態に従いモバイル電子装置を操作するステップを更に有する。最先端技術とは対照的に、装置は、ユーザーにより先に定義されている決定された動作に従い操作される。例えば、装置がＤＶＢ−Ｈ（セルラー電話ＴＶ）携帯電話の場合、ユーザーが特別なＴＶ−プログラムを希望するのであれば、（低バッテリーのため）ＴＶ−操作を遮断する前の予測時間が、例えば９０分（サッカーゲーム又は平均的なＴＶフィルムにおける予想時間）より小さくなったのならば、装置がその他全てのアプリケーションを遮断する（及び全ての更なる要素をカットオフする）ことをユーザーが選択できる。即ち、ＳＵＲＥは、バッテリーの各充電状態及び／又は各動作状態において、カットオフできる全てのアプリケーション及び要素を選択できる。成功した電力カットオフの各１つにおける定義された動作状態を通して、異なるパスを定義することも可能である。例えば、モバイルセルラー電話において、（例えば、最適でない状態においてさえ、バッテリー内の残余電力が緊急コールを発生するに十分であることを保証するために）第１のバッテリー電圧に対するバッテリーカットオフを定義することが可能であり、（電話コールが残りの全てのバッテリー電力を使用できることを保証するために）第２のバッテリーカットオフに対する２番目に低いしきい値を可能とする。この実施例において、カウンターは、例えば、充電プロセスによりリセットできる。
【００７２】
本発明のその他の観点によれば、コンピュータプログラムプロダクトが提供され、コンピュータプログラムプロダクトがモバイル多機能装置又はモバイル通信対応端末上で実行されるとき、本発明の前記したいずれかの実施例に従い、本方法の動作を実行するための機械読み取り可能媒体上に格納されるプログラムコードセクションを有する。
【００７３】
本発明の別の観点によれば、コンピュータプログラムプロダクトが提供され、コンピュータプログラムプロダクトがプロセッサーベース装置、コンピュータ、端末、ネットワーク装置、モバイル端末、又はモバイル通信対応端末上で実行されるとき、本発明の実施例に従い、前記した方法の動作を実行するための機械読み取り可能媒体上に格納されるプログラムコードセクションを有する。
【００７４】
本発明のその他の観点によれば、ソフトウェアツールが提供される。ソフトウェアツールがコンピュータプログラム内に実装される、及び／又はソフトウェアツールが実行されるとき、ソフトウェアツールは前記方法の動作を実行するためのプログラム部分を有する。
【００７５】
本発明のその他の観点によれば、搬送波内に含まれ、指示を表すコンピュータデータ信号が提供され、プロセッサーにより実行されるとき、実行されるべき本発明の前記した実施例に従い、コンピュータデータ信号は本方式の動作をもたらす。
【００７６】
以下において、本発明は添付する図面を参照により詳細に説明される。
【図面の簡単な説明】
【００７７】
【図１】最新技術によるモバイル電子多機能装置の例を示す説明図である。
【図２】ＮＦＣ−リーダー／ライターモードの通常動作状態における本発明の実施例によるモバイル電子多機能装置の例を示す説明図である。
【図３】本発明の１実施例によるＮＦＣ−カードエミュレーションモードの通常動作状態における図２のモバイル電子多機能装置を示す。
【図４】本発明の１実施例によるＮＦＣ−カードエミュレーションモードの装置オフ状態の低バッテリーにおける図２のモバイル電子多機能装置を示す。
【図５】モバイル電子多機能装置の実動作状態に関連するバッテリー放電段階を示す。
【図６】ＮＦＣ−リーダー／ライターモードの通常動作状態における本発明の実施例によるモバイル電子多機能装置の別の例を示す説明図である。
【図７】本発明の１実施例による電話オフ、ソフトウェアカットオフ、ハードウェアカットオフ、又はバッテリーカットオフ状態における図６のモバイル電子多機能装置を示す。
【図８】本発明の１実施例によるモバイル電子多機能装置の異なる動作状態において異なるＮＦＣ−通信要素構成を選択することをユーザーが可能とするユーザーインタフェースの異なる例の実装を示す。
【図９】本発明の１実施例によるモバイル電子多機能装置の異なる動作状態において異なるＮＦＣ−通信要素構成を選択することをユーザーが可能とするユーザーインタフェースの異なる例の実装を示す。
【図１０】本発明の１つの観点による方法のフローチャートを示す。
【発明を実施するための形態】
【００７８】
以下の詳細な記載において、同一の要素は、本発明の異なる実施例内で示されているかに関わらず同じ参照番号を付与されている。本発明を明確及び簡潔に説明するために、図面は必ずしも縮尺に沿ったものではなく、特定の特徴が多少概略図の形式で表れる。
【００７９】
図１は、最新技術によるモバイル電子多機能装置の例を示す図である。示されている実施例は、第１の機能としての近距離無線通信対応セルラー電話、及び第２の機能としてのＮＦＣ通信要素として実装される。装置は、中央処理装置上で実行されるベースバンドプロセッサー及びファームウェアを備える。中央処理装置は、モバイル電子多機能装置（ＭＥＭＤ： mobile electronic multifunctional device）のモバイル又はセルラーネットワーク部に対して無線ネットワークアクセスを供給するためのネットワークインタフェースと片側で接続される。ＭＥＭＤの左側において、ＮＦＣ−通信のためのＮＦＣ−チップ及びセキュアチップによりＮＦＣ−通信機能が実装される。ＭＥＭＤは、ＭＥＭＤを制御及び使用するための手段をユーザーに供給するためのユーザーインタフェースを更に備える。インタフェースは、ディスプレイ、キー、キーパッド又はキーボード、ラウドスピーカー、バイブレーションアクチュエーター／センサー、ライト、赤外線／電子／無線コネクターなどを有することができる。その様な設計を用いて、携帯電話として、及びＮＣリーダー又はＮＦＣ（例えばＲＦＩＤ）トランスポンダーなどの異なるＮＦＣ装置をエミュレートする能力があるＮＦＣ−通信装置として、ＭＥＭＤは通常動作状態（即ち、装置のスイッチがオンである）において制御される。即ち、当該の装置は、ＮＦＣ通信装置として及び携帯電話として、サービスをすることができる。
【００８０】
しかし、図１に示される装置のアーキテェクチャーに見ることができるように、もし装置のスイッチがオンである又は通常動作状態であるならば、例えば、装置のＮＦＣ−及びセルラー要素の両方を使用することが唯一可能である。装置のスイッチがオフである又は電源への接続が遮断されているとき、両機能はもはや利用できない。即ち、装置のバッテリーが空となるまでユーザーが長電話を行い（例えば、列車内において）、通話が遮断されてしまった場合、ユーザーは装置のＮＦＣ−通信要素もまた使用することができなくなる。ユーザーがＮＦＣベースのアクセスシステムを持ち、ＮＦＣベースの公共交通支払いシステムを使用するなら、ＮＦＣ−対応装置のバッテリーが空である場合、ユーザーは電話が使用できないのみならず、例えば、公共交通を使用すること、又は家に入ることもできなくなる。
【００８１】
図２は、ＮＦＣ−リーダー／ライターモードの通常動作状態において、本発明の１実施例によるモバイル電子多機能装置の例を示す図である。装置は通常動作状態を示す。図１の装置加え、本発明の装置は電力管理段階又はバッテリー制御回路を備える。バッテリー制御回路又は電力管理段階は、バッテリー（図示されていない）と、及びベースバンド／ファームウェアプロセッサーと接続される。例えば、ＮＦＣチップ自体及びセキュアチップなどＮＦＣ要素への専用接続を備えることも想定される。これらの更なる接続は、バッテリー制御回路（又は電力供給回路）が、各要素（及び、特にＮＦＣ通信及び／又はＮＦＣ−タグエミュレーションを実行するために必要な要素）に選択的に電力を与えることを可能とするよう設けられる。
【００８２】
特に、通常動作状態（スイッチがオンの装置）において、ＭＥＭＤの単一要素がどのように電力を供給されるかが図２からわかる。ＭＥＭＤにおいて、安全ＮＦＣ−チップのみが電力を与えられない。ＭＥＭＤのユーザーインタフェースは、スクリーンセーバー状態から知られたものとして又は最新のセルラー電話から知られるキーロック状態として、電力が与えられる。
【００８３】
スイッチオン状態において、ＭＥＭＤの全装置又は要素が動作可能である。本発明が、ＮＦＣ／ＲＦＩＤを備えるモバイル端末の動作に関連するとき、並びに、より詳細には、端末に電力が与えられない状況においてカードエミュレーションを管理及び制御する方法に関連するとき、装置の電源供給状態において認識されているものと多くの異なる特徴はない。
【００８４】
しかし、本発明は、本実施例においてベースバンド／ファームウェアプロセッサー内に一体化される、ＮＦＣ−通信要素に接続するメモリを備える。安全スマートカードアプリケーションに対し、ＮＦＣ／ＲＦＩＤフロントエンドの使用を可能とするため、ＭＥＭＤは安全スマートカードモジュールを更に備える。
【００８５】
図３は、本発明の１つの実施例によるＮＦＣ−カードエミュレーションモードの通常動作状態における図２のモバイル電子多機能装置を示す。図２とは対照的に、もし外部無線周波数フィールドがＮＦＣ要素により検出された場合、ＮＦＣ要素はバッテリーによってのみ動作する。ＮＦＣ要素の動作モードは、ＮＦＣ／ＲＦＩＤ−タグエミュレーションである。電力の不必要な浪費を避けるため、ＮＦＣ要素は必要時、即ち、例えば無線周波数（ＲＦ−）信号が検出された時のみ、電力を与えられる。
【００８６】
図４は、本発明の１つの実施例によるＮＦＣ−カードエミュレーションモードの低バッテリー又は装置オフ状態における図２及び３のモバイル電子多機能装置の説明図である。低バッテリー又は電力オフ（例えば、ハードウェア及びソフトウェアカットオフの１つ）状態において、ユーザーインタフェース及びネットワークアクセス要素を伴う電話である第１の機能性（即ち、第１の機能性を備える要素）は電力を与えられない。しかし、電力管理及びベースバンド及びファームウェアプロセッサーは、ＮＦＣ−要素の動作を制御するための手段を提供するために電力を与えられる。
【００８７】
ＮＦＣ要素がＲＦ信号を検出したことを示すＮＦＣ要素からの信号が受信された場合、電力管理及びベースバンド及びファームウェアプロセッサーもまた、通常、非電力状態にあり、バッテリーにより電力を与えられることができるという実施例を実装することも想定される。この検出された外部ＲＦフィールドは、ＲＦフロントエンドがＲＦフィールドを検出し、適合周波数及びその他特性でＲＦフィールドと「同調する」能力があることを意味する。
【００８８】
バッテリー電圧又は充電状態が既定のしきい値を下回るため、本発明はＭＥＭＤのスイッチオフ状態、ソフトウェアカットオフ状態、又はハードウェアカットオフ状態で使用することができる。
【００８９】
図４は、ＮＦＣ／ＲＦＩＤフロントエンドが外部フィールドを検出したとき、電力オフ状態のバッテリーにおける（残余の）残り電力を利用するために使用できる実装を明確に示す。
【００９０】
図示される装置は、ＭＥＭＤのエンドユーザーに対し、「電力オフ」、ソフトウェアカットオフ又はハードウェアカットオフ機能を提供するために、システムの部分に選択的に電力を与える。
【００９１】
「予期しない動作」を有するモバイル装置を実装することを通常は意図しなくとも、電話オン及びバッテリー放電／電話オフ状態の両方の場合において、この発明はユーザーにＮＦＣ−機能を提供できる。いずれにせよ、ＮＦＣ要素（バッテリー制御回路又はベースバンド及びファームウェアプロセッサー）に電力を与えるための十分なエネルギーがバッテリー内に残っていないとき、本実装は、バッテリーカットオフ（又はバッテリーが完全に放電された）状態において、ＮＦＣ−実現性を提供することができない。
【００９２】
即ち、示された実装は、幾つかのカットオフ状態においてはＮＦＣ−機能を供給し、幾つかのバッテリーカットオフ状態においてはＮＦＣ−機能を供給できず、「スイッチオフ」であろうと思われる時、ある時には装置はＮＦＣ−要素を操作することができ、別の時にはできず、これはユーザーを混乱させ、欲求不満にさせる可能性がある。更に、ユーザーは、装置を止めるとき、全ての機能（特にＮＦＣ−機能）がスイッチオフされたかをもはや確認することができない。
【００９３】
本発明は、全ての動作状態において、ユーザーがカードエミュレーション可視性を制御することを可能とする。バッテリーカットオフ又はハードウェアカットオフ状態を受信すると、装置は、特定の既定された動作を実行するための手段を有することさえでき、このため、ユーザーの希望された／事前選定された情報はタグロジックメモリ内に供給され、装置は、装置のタグロジックにエネルギーを与えるため適切な質問フィールドを供給する装置に好適な出力を供給する能力を持つ。それは、カードエミュレーションを一斉に無効及び有効とするための制御を持つべきである。それは、例えば、ＮＦＣカードエミュレーション「Mifare Classic」を無効とし、ＮＦＣエミュレーション「ISO 14443-4」を有効とするなど、カードエミュレーション上で、よりきめの細かい制御を有することもできる。また、「バスチケット」ＮＦＣアプリケーションを有効とし、例えば「クレジットカード」−ＮＦＣ−アプリケーション又は機能を無効とすることが可能である。
【００９４】
本発明は、両方のケース（オン及びオフ）における動作を行うために共有のメモリ又はファームウェアを供給することにより電話がオフであるとき、ユーザーが適所に同一の（又は異なる）設定を持つことができる。簡単なケースにおいて、ＭＥＭＤの異なる動作状態に対するＮＦＣ要素の（異なる又は同じ）設定又は構成は、ＭＥＭＤの事前符号化されたメモリ装置内に格納することができる（ユーザーによるアクセス出来ない）。ＭＥＭＤのより高度な実施例において、ユーザーは、図８又は９の１つに示されるようなインタフェースにより選択でき、ここで、ＮＦＣ要素の構成の動作状態／動作条件が選択／可能となるべきである。ユーザーがＮＦＣ要素の異なる設定を選択することを可能とするため、ＭＥＭＤは、電話（ＭＥＭＤ）へのカードエミュレーション構成を選択するためのユーザーインタフェースを備える。ユーザーインタフェースは、電話がオンのときのみ利用可能となる。構成可能オプションについての図示された例については、図８又は９を参照にする。端末は特定の自動化された設定を供給することができ、ユーザーは管理する能力があり、専用のユーザーインタフェースを用いて、彼／彼女の必要性に応じ変更する。
【００９５】
図4に示されるシステムは、例えば、ＳＷカットオフとＨＷカットオフ電圧の間、又はＳＷカットオフとバッテリーカットオフ電圧の間のバッテリー内に残る残余電力に依存する。電話オフ（又はＭＥＭＤオフ）状況において、バッテリーレベルは、ハードウェアカットオフより上のどこかにある。ソフトウェアカットオフ電圧より下で、動作は明らかに「バッテリーなし」（又は「ＭＥＭＤオフ」）動作である。この発明に関して、一方のスイッチオフ状態及び他方のソフトウェアカットオフは、電話がユーザーによりスイッチオンができないバッテリーなしケースと比べ、互いに違いがなく、図４に示される実施例とは無関係である。
【００９６】
電話がＨＷカットオフ電圧より上のどこかにあり、スイッチがオフのとき、基本的に、ユーザーインタフェース及び何かのネットワークサイド及びＲＦ要素のみがスイッチオフとなる。ＮＦＣ要素からの「外部フィールド存在」割込みにより起動されるとき、プロセッサーは電話ソフトウェアを起動し、実行できる。このとき、プロセッサーはコードに関連したカードエミュレーションを実行し、カードエミュレーションがリーダー（ユーザーではない）に可視であるかないかの決定をすることもできる。また、ソフトウェア実装カードエミュレーションのようなコードに関連するその他のカードエミュレーションを実行することもできる。しかし、ＮＦＣ要素からの信号は、ユーザーインタフェース又は電話のセルラーネットワーク部分を起動させない。
【００９７】
（主なアプリケーション／第１の機能に対し）電話がバッテリーなしで動作する時でさえ、多くの場合、このアプローチは、例えば、ユーザーが閉じられたゲートのメトロシステムを出ることができるよう、公共交通の要求を満たすために必要な手段を提供する。
【００９８】
図４のＭＥＭＤにおいて、ＮＦＣ要素は割込み信号によりベースバンド及びファームウェアプロセッサーを起動する能力がある。カードエミュレーションは、（それどころか）ベースバンド及びファームウェア段階／プロセッサー内に統合又は組込まれるよう、ＮＦＣ要素と分離した要素から統合された要素までのどこにも存在することができる。
【００９９】
図５は、バッテリー電圧に関するモバイル電子多機能装置の実動作状態に関するバッテリー放電段階を示す。図５において、図形はＭＥＭＤのユーザー認識に関して示された異なる動作条件を示す。ユーザーは、「スイッチオン」又は「スイッチオフ」状態（実際のバッテリー電圧とは独立）及びＭＥＭＤのバッテリー充電又はバッテリー放電状態のみ知覚する。バッテリー充電とバッテリー放電状態の間の主な違いは、バッテリー放電状態において、装置はスイッチオンできないという事実にある。
【０１００】
バッテリー充電（特にバッテリー完全充電において）状態において、全オプション（装置をスイッチオフすることを含む）を伴う通常動作が可能である。
【０１０１】
バッテリー放電又はバッテリーなしにおいて、最も通常には、ＭＥＭＤの動作は全く不可能である。
【０１０２】
ユーザーにより知覚されないが、通常実装されているものとしてＭＥＭＤを電力低下させるための異なる段階がある。第１の段階において、バッテリーの電圧が既定のしきい値を下回るとき、装置はソフトウェアカットオフを実行する。このソフトウェアカットオフは、通常、持続性メモリ内にデータを格納するために、データ損失を防止するため異なるソフトウェアアプリケーションをカットオフ又は終了するために使用され、並びにバッテリー電力及びバッテリー動作の最後が近いというユーザーへの短い通知に付随して生じることができる。
【０１０３】
ソフトウェアカットオフは、バッテリーの重放電及び損失を防止するため、装置にハードウェアカットオフの準備をさせるために必要な段階として考えることができる。
【０１０４】
第２のしきい値より下で、通常、バッテリーへの接続は、ＭＥＭＤ、バッテリーマネージャー又はバッテリー制御回路の最終アクティブ要素により、重放電を防止するために完全に遮断される。
【０１０５】
本発明は、ＭＥＭＤ（図２から４）のソフトウェア（ＳＷ）カットオフ（又はスイッチオフ状態）より下のバッテリー電圧状態においてさえ、装置のＮＦＣ要素の使用を可能とするための実装を提供する。特に、図２から４の実装は、ＮＦＣ−機能における個々のカットオフしきい値（第１機能に対するＳＷカットオフ及びハードウェア−（ＨＷ−）又はバッテリーカットオフ）を適用する装置として考えることもできる。
【０１０６】
本発明は、ＭＥＭＤ（図６及び７）の全バッテリー電圧状態（ＳＷカットオフ又はスイッチオフ状態より下）において、装置のＮＦＣ要素の使用を可能とするための実装を提供する。
【０１０７】
図６は、ＮＦＣ−リーダー／ライターモードの通常動作状態における本発明の実施例によるモバイル電子多機能装置のその他の例である。図２から４に示される装置として、この実装の装置は、電力管理、ベースバンド及びファームウェアプロセッサー、ユーザーインタフェース並びにネットワークインタフェース（ＭＥＭＤをＮＦＣ対応セルラー電話とする）を備える。図２から４にあるように、装置は、ＭＥＭＤへの少なくともＮＦＣトランスポンダー可能性を供給するＮＦＣチップ又はＮＦＣ要素を備える。
【０１０８】
図２から４の実装に加えて、装置は、ＮＦＣ対応セルラー電話として搭載されるＭＥＭＤの異なる動作状態に対するＮＦＣ要素における異なる構成を格納するための専用のメモリを備える。
【０１０９】
ＮＦＣ要素が外部フィールドに応答するのみのＮＦＣトランポンダーとして動作するとき、ＭＥＭＤはＮＦＣ要素を起動するため外部リーダーからＲＦ電力を供給されなければならない。それゆえに、外部ＲＦフィールドが検出された場合、全てのＮＦＣ−関連要素は電力を与えられるものとして図示される。
【０１１０】
図２及び３の場合のように、電力管理（バッテリー制御回路）、ベースバンド及びファームウェアプロセッサー並びにネットワークインタフェースは、（図示されない）バッテリーにより電力を供給される。キーロック及び電力節約アプリケーションの理由により、ユーザーインタフェースに電力を供給する、又はしないことができる。
【０１１１】
図７は、電話オフ、ハードウェアカットオフ又はバッテリーカットオフ状態での図６のモバイル電子多機能装置を示す。図６と対照的に、装置は、電話オフ、ハードウェアカットオフ又はバッテリーカットオフ状態であり、これは電力管理、ベースバンド又はファームウェアプロセッサー、ネットワークインタフェース及びユーザーインタフェースのような全要素が電力を与えられないという事実で示される。図示される状況は、バッテリーが装置から取り除かれた場合に生じる可能性がある。
【０１１２】
しかし、ＮＦＣ−要素は外部ＮＦＣリーダーから（又はその他のＲＦ源から）ＲＦフィールドにより電力を与えられることができる。装置のＮＦＣ要素が外部ＲＦフィールドにより電力を与えられるという事実は、厳しい設計制限を伴う。装置のＮＦＣ要素が完全にＲＦエネルギーにより作動されるとき、電力消費は、外部ＲＦリーダーの受信ＲＦフィールドから生成できる最大エネルギーが制限されるように、厳しく制限されなければならない。電力の不必要な浪費を避けるため、ＭＥＭＤの幾つかの要素は、部分的に電力供給される要素（セキュアチップのような）として設計される。
【０１１３】
図示される実施例は、エンドユーザーに対し「バッテリーオフ」機能を供給するために、外部フィールドエネルギーのみによりシステムの部分に選択的に電力を与えることを許可する。エミュレーションの一部が可視であるユーザー制御性をサポートするために、又はエミュレーションがともかく利用できる場合、幾つかの共通ロジック又はメモリが、バッテリー電力供給（電話オン）及びバッテリーなし（電話オフ）の両方の状況において利用可能である。
【０１１４】
ＲＦリーダー信号のエネルギー容量が装置全体に電力を与えるのに十分であるとき、外部ＲＦフィールドによるシステムの選択的電力部分は、エンドユーザーに対し「電力オフ」機能を供給するための必要条件である。ＭＥＭＤのこの図示される実装は、可視モードチップにより、両ケース（電話オン及び電話オフ）において、ＮＦＣ可視性の同一程度のユーザー制御性を供給する。
【０１１５】
ユーザーは各データを可視モードチップ内に入力することにより、カードエミュレーション可視性を制御できる。その結果、ユーザーはカードエミュレーションを一斉に、又はＮＦＣトランスポンダー／カード機能の単一要素を無効及び有効とするよう制御できる。ユーザーは、各動作条件に対し別々に、ＮＦＣ要素の Mifare クラッシックエミュレーション機能（例えば支払いカード）を無効とし、ＮＦＣ要素の ISO 14443-4 レベルエミュレーション機能（例えばバスチケット）を有効とするなど、カードエミュレーション上のよりきめの細かい制御を有することもできる。本発明は、両ケースにおける動作を行うために共有のメモリ又はファームウェアを供給することにより、電話が（バッテリー）オフなしであるとき、同一の（又は異なる）設定を適所に持つことを可能にする。システムは外部リーダーフィールドからカードエミュレーション電力の全てを引き出す。ユーザーは電話の構成を選択することができ、各動作状態においてカードエミュレーションがどのように作用すべきかを規定する。構成可能なオプションについての例に対しては、図８及び９を参照にする。
【０１１６】
図７に示される実装において、電話全体を電力なし状態とできる。バッテリーが電話から取り除かれても、ＮＦＣ−カードエミュレーション機能はまだ動作する。この場合、主となる追加の部分は、カードエミュレーションモード情報を格納するための小型且つ経済的な共有メモリである。この共有部分はまさにメモリであり、ＮＦＣチップはメモリ内のモード情報を遮断することに対処する。共有部分は、モード情報を持続的に格納することに加え、カードエミュレーションを動作させることができる小型のプロセッサーにもできる。
【０１１７】
本発明の実施例によれば、エネルギー量を極端に厳しくできる。外部フィールドから利用可能な電力は、およそ１２ｍＷである。このエネルギーレベルは、セキュアチップ又は可視モードチップの一部のみが電力を与えられることを表す。カードエミュレーションＨＷ／ＳＷは、最小電力消費モードもまた持つよう設計すべきである。このモードは、例えば、低電圧の第２の電力源を持ち、カードエミュレーションにサービスするために設計される部分にのみ電力を与えることにより、実装できる。例えば、高速度のインタフェース又はネットワーク認証特性はこのモードにおいて必要ではなく、エネルギー量に合致するために、これら全ての部分は、シリコンレベルまでの電力なし状態に残るべきである。
【０１１８】
ＭＥＭＤがＨＷカットオフ電圧より上のどこかにあり、スイッチオフである場合、ＭＥＭＤのバッテリー電力を使用することも想定され、基本的には、ユーザーインタフェース及び何かのネットワークサイド及びＲＦ要素のみがスイッチオフとなる。そして、ＮＦＣフロントエンド（図４のＭＥＭＤ実装内に示される）からの「外部フィールド存在」割込みにより起動されるとき、プロセッサーは電話ソフトウェアを起動し、実行できる。この時、プロセッサーはカードエミュレーション関連コードを実行し、カードエミュレーションがリーダー（ユーザーではない）に可視であるかないかの判断を行うこともできる。ＳＷ実装カードエミュレーションのようなその他のカードエミュレーション関連コードを実行することもできる。しかし、ユーザーインタフェース又は電話のセルラーネットワーク部分を起動すべきではない。
【０１１９】
多くの場合、このアプローチは、電話のバッテリーが消耗したときでさえ、例えば、閉められたゲートのメトロシステムを出ることができるよう、ユーザーが公共交通の要求を満たすために必要となる手段を提供する。
【０１２０】
ソフトウェアカットオフ状態より下でＮＦＣエミュレーション（及びリーダー／ライター）機能を供給するため、及び全ての状態（バッテリーカットオフを含む）においてＮＦＣトランスポンダー機能を供給するため、図２から４及び６及び７の装置の合成された機能を伴う合成されたＭＥＭＤを実装することが想定されることに注意する。
【０１２１】
図８及び９は、本発明の実施例により、ユーザーがモバイル電子多機能装置の異なる動作状態において異なるＮＦＣ−通信要素構成を選択することを可能とするユーザーインタフェース／制御メニューの異なる実装を示す。端末におけるこの専用の制御メニュー／ユーザーインタフェースを用い、電力オン（通常動作状態）及び電力オフ状態（ソフトウェア、ハードウェア又はバッテリーカットオフ状態など）におけるセキュアスマートカードモジュール（ＮＦＣ−通信要素の例として）内にあるアプリケーションの「可視性」をユーザーが制御する。
【０１２２】
図８において、モバイル電子装置のＮＦＣ−通信要素が、電力オン及び／又は電力オフ状態（又は動作／カットオフ状態）において利用可能とすべきであるかを、ユーザーが選択できる。従来のメニューに対する拡張として、このメニューを実装することが想定され、ユーザーは通常動作状態（即ち「装置オン」）におけるセキュアスマートカードモジュール内にあるアプリケーションの「可視性」を選択できる。
【０１２３】
図９は、図８のメニューのより高度な実装を図示し、ユーザーは異なる動作（又はカットオフ）状態の各々に対するＮＦＣ−構成の異なる設定を選択できる。
【０１２４】
バッテリー内の低充電のため、又は単に端末がシャットダウンしている（電力オフ）ことにより、モバイル端末に電力を与えられない状況において、（図８及び９の）このメニューは、カードエミュレーション動作を可能とするために、取付け可能なセキュアスマートカードモジュール又は代わりの統合されたモジュール内にあるアプリケーション上で、必要な管理を供給することに責任のある制御ロジックに関連付けられる。
【０１２５】
本発明の実施例によれば、電力オフ状況に対し設定できる端末により供給される特定の自動／初期設定があり、ユーザーは、例えば、図８又は９に示されるユーザーインタフェースの１つにより、個人の希望に基づき設定を調整するオプションを有する、ことに注意すべきである。
【０１２６】
更に、モバイル電子多機能装置において、ＲＦＩＤフロントエンドが外部フィールド又はＮＦＣ−通信イベントを検出したとき、ＲＦＩＤフロントエンド及びセキュアスマートカードモジュールが、カットオフ状態（又は電力オフ状況）のバッテリー内に残る（残余）電力を利用することを可能とするための処理が供給されるべきである。それゆえに、適切なＲＦフィールド（１３．５６  ＭＨｚ）が検出されたことを表すＲＦＩＤフロントエンドからのトリガー信号を受信すると、装置の適切な部分の電力供給に対処する何かの種類の制御ロジックである必要がある。この制御ユニットはバッテリー制御回路内に実装できる。そして、この制御回路は、装置に電力が与えられたとき、専用の制御メニュー／ＵＩにより供給される制御情報を用いてカードエミュレーションプロセスを実行するに十分な電力を供給するため、ＲＦＩＤフロントエンドの適切な部分とセキュアスマートカードモジュールを接続する。
【０１２７】
図１０は、本発明の１つの観点による方法のフローチャートを示す。フローチャートは、例えば、ＮＦＣ−通信装置のアンテナにおいてＲＦフィールドを検出することにより、ＮＦＣ−通信イベントを検出することから開始する。そして、例えば、装置が通常動作状態（即ち「スイッチオン」）又はソフトウェア、ハードウェア若しくはバッテリーカットオフ状態（ここで、これらの１つが装置「スイッチオフ」ともみなされる）にあるかを検出することにより、モバイル電子多機能装置の現動作状態が決まる。そして、検出された動作状態に関連する又は割当てられるＮＦＣ−通信要素の構成が決定され、モバイル電子多機能装置のＮＦＣ−通信要素が、ＮＦＣ−通信要素の決定された構成に従い動作する。
【０１２８】
特に、決定された構成に従いＮＦＣ−通信要素を操作するための部分は、エンドユーザーに対し「バッテリーカットオフ」機能を供給するために、外部フィールドエネルギーのみによりシステムの一部に選択的に電力を与えることを更に有する。エミュレーションの一部が可視である（又はもしエミュレーションがどうにか利用できるなら）ユーザー制御性もサポートするため、幾つかの共通ロジック又はメモリが、モバイル電子多機能装置のバッテリー電力（例えば電話オン）及びバッテリーなし（例えば電話オフ）状態の両方において利用可能である。即ち、本発明の方法は、ＮＦＣ−伝達性を完全にスイッチオフするため、又は電話オフＮＦＣ操作性のみを許可するために使用することもできる。本発明を用い、エンドユーザーに対し、モバイル電子多機能装置の「電力オフ」ＮＦＣ−機能を供給するため、システムの一部に選択的に電力を与えることが可能である。
【０１２９】
本発明に伴い、電話オン及びバッテリーなし（ＮＦＣ構成を選択するためのインタフェースが装置オン又は電話オン動作状態でのみアクセス可能であるとしても）の両ケースにおいて、装置の非ロジカルな又は予期しない振舞いを避けるため、及びＮＦＣ−要素のユーザー制御性を供給するため、モバイル電子多機能装置のユーザーにインタフェースを供給することが可能である。
【０１３０】
ユーザーはＮＦＣ−通信要素（例えば、カードエミュレーション可視性）への制御を有する。ユーザーは、モバイル電子多機能装置の各動作状態に対し、一斉に又は選択的にカードエミュレーションを無効及び有効とするための制御を有するべきである。ユーザーは、Mifare クラシックエミュレーションを無効とする、及び ISO 14443-4 レベルエミュレーションを有効とするようなカードエミュレーション上のより細かい制御を有することもできる。又は（エンドユーザーに対しより意味のある）、バスチケットを有効とし、Visa カードＮＦＣ−通信を無効とする。この発明は、両ケースにおける動作を行うための共有メモリ又はファームウェアを供給することにより、電話が（バッテリー）オフなしであるとき、ユーザーが適所に同一の設定を有することも可能とする。
【０１３１】
この出願は、用例を補助として、本発明の実装及び実施例の記述を有する。当業者は理解できることであるが、本発明は上で紹介した実施例の詳細に制限されず、本発明は、本発明の特徴から逸脱することなしにその他の形式で実装することも可能である。上で紹介した実施例は実例として考慮されるべきであるが、制限はされない。このため、本発明を実装する及び使用する可能性は、添付の請求項によってのみ限定される。この結果、同等の実装を含めて、請求項により決められたように本発明を実装するための様々なオプションは、本発明の範囲に属する。
【図１】
0005314107.tif 000002
【図２】
0005314107.tif 000003
【図３】
0005314107.tif 000004
【図４】
0005314107.tif 000005
【図５】
0005314107.tif 000006
【図６】
0005314107.tif 000007
【図７】
0005314107.tif 000008
【図８】
0005314107.tif 000009
【図９】
0005314107.tif 000010
【図１０】
0005314107.tif 000011